(57)【要約】【課題】構造が簡単にして、調整操作が円滑に行え、ガイドの上下の動きもスムースなものにする。【解決手段】筒部３とフランジ部４とを有する合成樹脂製のケース２と、ナット状の操作部１１の中心に回動軸部１２が突設され、前記操作部１１と前記回動軸部１２の中心軸線から偏心した位置において軸方向へ貫通する挿通孔１３が穿設され、前記回動軸部１２を前記ケース２内に嵌挿して前記ケース２に回転可能にして圧嵌状態に嵌着する操作部材１０と、前記挿通孔１３に摺動可能に挿通し先端部が前記操作部１１の偏心位置に突出するガイド軸２０と、前記ガイド軸２０の先端部に装着されるランナー２５と、前記ガイド軸２０の後端に配置され前記ガイド軸２０を軸先方向へ付勢するコイルスプリング３０と、を有して構成されており、操作部材をケースに軸回動させることにより、ガイド軸が旋回移動し、戸の厚み方向の建付調整がなされる。【選択図】      図１
2004360197.tif 000002
【特許請求の範囲】
【請求項１】
筒部とフランジ部とを有する合成樹脂製のケースと、ナット状の操作部の中心に回動軸部が突設され、前記操作部と前記回動軸部の中心軸線から偏心した位置において軸方向へ貫通する挿通孔が穿設され、前記回動軸部を前記ケース内に嵌挿して前記ケースに回転可能にして圧嵌状態に嵌着する操作部材と、前記挿通孔に摺動可能に挿通し先端部が前記操作部の偏心位置に突出するガイド軸と、前記ガイド軸の先端部に装着されるランナーと、前記ガイド軸の後端に配置され前記ガイド軸を軸先方向へ付勢するコイルスプリングと、を有して成ることを特徴とする戸のガイド装置。
【請求項２】
ガイド軸の後端に抜け止め用のストッパを形成すると共に回動軸部の後端に前記ストッパを回転可能に係止する係止部を形成し、前記ガイド軸を挿通孔に回転自在に挿通したことを特徴とする請求項１記載の戸のガイド装置。
【発明の詳細な説明】
【０００１】
【産業上の利用分野】
本発明は、引戸に装着され、ガイドレールに沿って戸の走行を案内する戸のガイド装置に関するものである。
【０００２】
【従来の技術】
従来より、ガイドレール（上部ガイドレールや下部ガイドレール）に導かれて走行する戸（引戸や吊戸や折戸）は、建付けの際の誤差や、経時変化による歪みによって建付け状態に不具合が生じる場合があり、この不具合に対応してガイドレールに対して戸の厚み方向へ戸の建付け位置が調整できる戸のガイド装置が提案されている。
【０００３】
この種の戸のガイド装置として、例えば、特開平１０−１０２８８６号公報や、特開平１０−２６６６８０号公報に開示された調整可能な戸のガイド装置が知られており、何れも、ガイドレールに嵌合するランナーの支持軸を戸の厚み方向へ移動して戸の建付け位置を調整するものである。
【０００４】
上記のガイド装置は、何れも引戸の走行方向面の角部に埋設して取り付けるタイプであるので、取付位置が限定されていて用途の幅が狭いうえに、部品数が多く構成が複雑な為、高価格になる欠点を有している。
【０００５】
上記の欠点を解消し、吊戸や折戸にも適用できるガイド装置として、例えば、特開２００２−８１２５７号に開示された構成のものが知られている。
【０００６】
この従来のガイド装置は、レールに係合するガイド（偏心軸部）を一体に突設したガイド調整体をケースに回動可能に取り付け、前記ガイド（偏心軸部）が挿通されケースに回動可能に取り付けられた回動部材を回動することにより、ガイド調整体を回動してガイド（偏心軸部）を戸の厚み方向へ旋回移動させるようになっている。
【０００７】
【発明が解決しようとする課題】
しかしながら、上記従来のガイド装置は、回動部材を回動させる際、回動部材にかける回転力をガイド調整体の偏心位置に突設されたガイド（偏心軸部）に伝達してガイド調整体を回動させる構成であるので、回動部材にかけた回転力がガイド調整体に偏って伝達する。この為、ガイド調整体とケースとの摩擦抵抗が極めて高くなり、調整時における回動部材によるガイド調整体の回動が円滑に作動しない欠点を有している。
【０００８】
また、ガイド（偏心軸部）の先端で受ける応力もガイド調整体に偏って伝達することから、戸に取り付けたケース内におけるガイド調整体の上下方向の動きも円滑性に欠ける欠点を有している。
【０００９】
本発明は、上記の問題に鑑みてなされたもので、構造が簡単にして、調整操作が円滑に行え、ガイドの上下の動きもスムースな戸のガイド装置にすることにある。
【００１０】
【課題を解決するための手段】
本発明は、筒部とフランジ部とを有する合成樹脂製のケースと、ナット状の操作部の中心に回動軸部が突設され、前記操作部と前記回動軸部の中心軸線から偏心した位置において軸方向へ貫通する挿通孔が穿設され、前記回動軸部を前記ケース内に嵌挿して前記ケースに回転可能にして圧嵌状態に嵌着する操作部材と、前記挿通孔に摺動可能に挿通し先端部が前記操作部の偏心位置に突出するガイド軸と、前記ガイド軸の先端部に装着されるランナーと、前記ガイド軸の後端に配置され前記ガイド軸を軸先方向へ付勢するコイルスプリングと、を有してなることを特徴としている。
【００１１】
上記の構成としたことにより、操作部と回動軸部とから成る操作部材の操作部に、工具（スパナ等）を係合させて操作部材を回動させると、操作部材がケースに軸回動し、操作部材における操作部と回動軸部の偏心位置において軸方向へ挿通しているガイド軸が旋回移動し、戸の厚み方向の調整がなされる。この調整操作では、工具による操作部材の回転力が偏心位置に突出するガイド軸にかかることなく操作部から回転軸部へ均等に伝達することから、操作部材はケースに円滑に軸回動し、容易に調整操作をすることができる。そして、ガイド軸の上下方向の応力が偏心位置においてガイド軸の軸線方向に働くことから、ガイド軸は挿通孔内を上下円滑に摺動する。
【００１２】
また、ガイド軸の後端に抜け止め用のストッパを形成すると共に回動軸部の後端に前記ストッパを回転可能に係止する係止部を形成し、前記ガイド軸を挿通孔に回転自在に挿通した構成とすることも好ましく、走行中のランナーがガイドレールに接触したとき、ガイド軸が回転することにより、ランナーとレールとの接触抵抗をより小さくすることができる。
【００１３】
【発明の実施の形態】
以下、本発明の戸のガイド装置の好適な実施の形態を添付図面を参照しながら詳細に説明する。
【００１４】
図１乃至図２は、本発明の第１の実施の形態を示しており、この戸のガイド装置１は、合成樹脂製のケース２と、前記ケース２に回動可能にして圧嵌状態に嵌着する操作部材１０と、前記操作部材１０の挿通孔１３に摺動可能に挿通するガイド軸２０と、前記ガイド軸２０の先端部に装着されるランナー２５と、ガイド軸２０を軸先方向へ付勢するコイルスプリング３０とを有し、これらを組み付けて構成されている。
【００１５】
ガイド装置１は、本実施の形態では、床３５に敷設されたレール３６の上面に沿って走行する戸４０の下面にケース２を埋設して取り付けられている。戸４０は、引戸、吊戸、折戸等、レール３６に係合するランナー２５によって案内される戸４０であればよく、このガイド装置１は、戸４０の下面にも戸４０の上面にも戸の建付方法に応じた位置に取り付けられる。
【００１６】
ケース２は、外周面に複数の縦リブ３ａを突設した有底の筒部３と、筒部３の開口端に形成されたフランジ部４とを有し、硬質の合成樹脂材料を用いて射出成形方法で成形されている。ガイド装置１を戸４０に取り付ける際には、ケース２の部分は戸４０の下面に穿孔された取り付け孔４１に圧入され、縦リブ３ａにより回転不能に埋設される。
【００１７】
操作部材１０は、ナット状の操作部１１と、この操作部１１の中心に突設された回動軸部１２とから成り、操作部１１と回動軸部１２の中心軸線から偏心した位置において軸方向へ貫通する挿通孔１３が穿設されており、挿通孔１３にはガイド軸２０が挿通されている。この操作部材１０は、その回動軸部１０をケース２の筒孔５に嵌挿しケース２に回転可能にして圧嵌状態に嵌着するように寸法設定されており、スパナ等の工具を用いてケースに対し回動させることができる。
【００１８】
操作部材１０とケース２との間の回転抵抗力は、操作部材１０の回動軸部１２とケース２の筒孔５との摩擦抵抗によって得られるように設定してもよく、また、操作部材１０における操作部１１の内周壁１１ａとケース２におけるフランジ部４の外周壁４ａとの摩擦抵抗によって得られるように設定してもよい。
【００１９】
ガイド軸２０は、挿通孔１３に摺動可能に挿通する杆部２１の先端にランナー２５を取り付ける取付軸部２２が一体に突設されて成り、杆部２１の後端にはガイド軸２０の挿通孔１３からの抜け出しを防止する突起状のストッパ２３が設けてある。操作部材１０の挿通孔１３に挿通されたガイド軸２０は、その先端部が操作部１１の偏心位置において突出している。
【００２０】
ランナー２５は、ランナー２５の中心に穿設した取り付け孔にガイド軸２０の取り付け軸部２２を圧入することによってガイド軸２０に取り付けられている。尚、ランナー２５は、図指したものに限るものではなく、公知のランナーを公知の手段でガイド軸２０に回転自在に取り付けてもよいことは言うまでもない。
【００２１】
符号３０は、コイルスプリングであり、ケース２内においてガイド軸２０の後端に配置され、ガイド軸２０を軸先方向へ付勢する。
【００２２】
本実施の形態のガイド装置１を組み立てるには、操作部材１０の挿通孔１３に挿通孔１３の後方からガイド軸２０を嵌挿し、ガイド軸３０の取付軸部２２にランナー２５を装着しておく。次いで、ケース２の筒孔５にコイルスプリング３０を挿入し、ガイド軸３０が装着された操作部材１０の回動軸部１２をケース２の筒孔５に嵌挿して押圧し、操作部材１０をケース２に圧嵌状態に嵌着させる。
【００２３】
以上のようにガイド装置１は組み付けらており、ガイド軸３０は、挿通孔１３から抜け出すことなく上下摺動動可能にコイルスプリング３０によって付勢されており、操作部材１０はケース２に対して回動可能とされている。
【００２４】
ガイド装置１を戸４０に取り付けるには、戸４０の下端面４２に開口する取付孔４１へケース２の後端側から挿入し、スパナ等の工具（図指省略）が操作部１１に係合可能なように、操作部１１の端面側を戸４０の下端面４２から一部分露出させた状態に埋設する。そして、ガイド装置１のランナー２５をレール３６の凹溝３６ａに摺動可能に嵌挿して戸４０を建付ける。
【００２５】
戸４０の建付後、戸１０の厚み方向へ調整が必要な場合は、工具を操作部１１に係合させ、操作部材１０をケース２に対して回動させる。この操作により、操作部１１と回動軸部１２とから成る操作部材１０は、ケース２との摩擦を伴ってケース２に軸回動し、操作部材１０の偏心位置に挿通するガイド軸２０が旋回移動することにより、戸の厚み方向の調整がなされる。
【００２６】
この調整操作では、工具を使った操作部材１０への回転力が偏心位置のガイド軸にかかることなく、操作部１１から回転軸部１２へ均等に伝達する。従って、操作部材１０をケース１との摩擦に抗して円滑に軸回動させることが可能であり、容易に調整操作をすることができる。
【００２７】
図３は、本発明に係る戸のガイド装置の第２の実施の態様を示している。図において、上記第１の実施の形態と共通する部分については同一符号を付しその説明を省略する。
【００２８】
同図に示すように、このガイド装置１は、基本的には既述した第１の実施の態様と同様に、ケース２と、操作部材１０と、ガイド軸２０と、ランナー２５と、コイルスプリング３０とを組み付けて構成されている。
【００２９】
本実施の形態では、ガイド軸２０の後端に、真円形の抜け止め用のストッパ２３ａが形成され、操作部材１０の回動軸部１２の後端には、前記ストッパ２３ａを回転可能に係止する漏斗状に凹没した係止部１２ａが形成されている。ガイド軸２０のストッパ１３ａが回動軸部１２の係止部１２ａに係合した状態でも、ガイド軸２０が自在に回転できる構成となっている。
【００３０】
ガイド軸２０が操作部材１０に対し自在に回転できることから、戸４０の移動走行中に、ランナー２５の側面がレール３６における凹溝３６ａの側面に接触したときガイド軸２０が回転し、ランナー２５とレール３６との接触抵抗を小さくすることができる。
【００３１】
【発明の効果】
本発明は、以上説明したような形態で実施され、以下に記載されるような効果を奏する。
【００３２】
操作部と回動軸部とから成る操作部材の偏心位置にガイド軸を摺動可能に設け、工具により操作部材を回す際の回転力を偏心位置のガイド軸にかけることなく操作部材に均等に伝達してガイド軸を旋回移動するようにしたので、操作部材がケースに円滑に軸回動し、戸の厚み方向の調整操作を容易にすることができる。更に、ガイド軸の上下方向の応力が偏心位置においてガイド軸の軸線方向へ働くようにしたので、ガイド軸の上下動が極めて円滑である。
【００３３】
また、ガイド軸が操作部材に自在に回転する構成とすることにより、ランナーとレールとの接触抵抗をより小さくして戸の走行をより軽快にすることができる。
【図面の簡単な説明】
【図１】本発明の戸のガイド装置の実施の形態を示す断面図。
【図２】図１の戸のガイド装置の分解斜視図。
【図３】別の実施の形態を示す断面図。
【符号の説明】
１  ガイド装置，２  ケース，３  筒部，４  フランジ部，１０  操作部材，１１  操作部，１２  回動軸部，１２ａ  係止部，１３  挿通孔，２０  ガイド軸，２３  ストッパ，２５  ランナー，３０  コイルスプリング
【図１】
2004360197.tif 000003
【図２】
2004360197.tif 000004
【図３】
2004360197.tif 000005